(57)【要約】【課題】感光体の回転ムラを低減して、回転ムラによる露光ズレ、転写ズレをなくし、画像ムラ、画像不良をなくすと共に、現像色切り換え動作時間の短縮を図る。【解決手段】潜像が形成される像担持体３と、潜像を形成する潜像形成手段５と、現像ローラを有し現像剤を搬送して潜像を現像する複数の現像器２と、複数の現像器２を外周に沿って支持して像担持体３に対向する現像位置に回転移動するロータリー現像装置１とを備え、現像色切り換え動作により複数の現像器２が順次現像位置に回転移動して像担持体３上に形成された潜像を現像し転写位置７で媒体４に転写して画像を形成する。現像位置の現像器２は、ロータリー現像装置１の回転中心と像担持体３の回転中心とを結ぶ直線上よりロータリー現像装置１の回転方向の下流側で像担持体３に押し当てられる。【選択図】      図１
2005031167.tif 000002
【特許請求の範囲】
【請求項１】
潜像が形成される像担持体と、該像担持体に前記潜像を形成する潜像形成手段と、現像ローラを有し現像剤を搬送して前記潜像を現像する複数の現像器と、前記複数の現像器を外周に沿って支持して前記像担持体に対向する現像位置に回転移動するロータリー現像装置とを備え、前記ロータリー現像装置の現像色切り換え動作により前記複数の現像器が順次前記現像位置に回転移動して前記像担持体上に形成された潜像を現像し転写位置で媒体に転写して画像を形成するように構成した画像形成装置において、前記現像位置の前記現像器は、前記ロータリー現像装置の回転中心と前記像担持体の回転中心とを結ぶ直線上より前記ロータリー現像装置の回転方向の下流側で前記像担持体に押し当てられることを特徴とする画像形成装置。
【請求項２】
前記ロータリー現像装置は、前記潜像の後端を現像し媒体に転写する前に前記ロータリー現像装置の現像色切り換え動作を開始することを特徴とする請求項１に記載の画像形成装置。
【請求項３】
前記潜像形成手段は、前記ロータリー現像装置の現像色切り換え動作により次の現像器が前記現像位置に回転移動した後に前記潜像の形成を開始することを特徴とする請求項１又は２のいずれかに記載の画像形成装置。
【請求項４】
前記現像器は、揺動可能に支持されて前記像担持体の回転中心より前記像担持体の回転方向の下流側に向けて付勢される揺動支点を有することを特徴とする請求項１乃至３のいずれかに記載の画像形成装置。
【発明の詳細な説明】
【０００１】
【技術分野】
本発明は、ロータリー現像装置の現像色切り換え動作により複数の現像器が順次現像位置に回転移動して像担持体上に形成された潜像を現像し転写位置で媒体に転写して画像を形成するように構成した画像形成装置に関する。
【０００２】
【従来の技術】
ロータリー現像方式を採用した画像形成装置では、潜像が形成される像担持体と、現像ローラを有し現像剤を搬送して潜像を現像する複数の現像器と、複数の現像器を外周に沿って支持して像担持体に対向する現像位置に回転移動するロータリー現像装置とを備えた画像形成装置では、従来、現像動作を行う現像器は、現像位置において、ロータリー現像装置の回転中心と現像ローラの回転中心と感光体の回転中心が一直線上になるようにロータリー現像装置の位置決めを行い、現像動作を行うようになっている（例えば、特許文献１、２参照）。
【０００３】
【特許文献１】
特許第２６４９０３３号公報
【０００４】
【特許文献２】
特開２００３−５４８４号公報
【０００５】
【発明が解決しようとする課題】
しかし、上記従来装置のように現像位置において、現像動作を行う現像器が、ロータリー現像装置の回転中心と現像ローラの回転中心と感光体の回転中心が一直線上になるようにロータリー現像装置を位置決めしていることにより、幾つかの課題が生じている。
【０００６】
例えば現像動作が終了し、次の色の現像器を現像位置に回転移動させるためにロータリー現像装置が現像色切り換え動作により回転すると、それまで現像動作をしていた現像器が感光体に押し当てられている押圧力は、最大値から移動開始と共に減少し始め、現像ローラが感光体から完全に離れてゼロになる。なお、現像位置での現像ローラと感光体との距離を決める方法には種々あるが、非接触現像方式の例では、現像ローラと同軸上に現像ローラよりやや大きい径のコロを配設し、このコロを感光体に当接することで現像ローラと感光体との隙間を決定する構成がある。この構成の場合には、先の押圧力の減少に当てはめると、現像位置からロータリー現像装置が回転して暫くしコロが感光体表面から離れると、押圧力が０になる。なお、このコロについて、特許文献２では、図２、図３の現像ローラ２２の端部に輪状の部材で示されている。
【０００７】
現像器を感光体に押し当てる押圧力が変化すると、感光体を駆動する際の付加が変動する。これが感光体の回転ムラを発生させ、画像ムラ等の画像欠陥を生じることになる。また、感光体を装置本体に装着する場合には、一定のガタを有する。このガタは、嵌合させて装着する構造上である程度必要とされるものである。現像器を感光体に押し当てると、感光体はこのガタの範囲でロータリー現像装置の回転中心と現像ローラの回転中心と感光体の回転中心を結ぶ直線上で感光体が現像ローラとは反対の方向に移動することになる。先の問題と同様に、ロータリー現像装置が回転を始め、押圧力が減少すると、感光体はガタの範囲で先の方向とは反対の方向に移動することが可能である。このように感光体の位置が変化すると１次転写ローラと感光体との間で画像が歪（転写ズレ）を生じる不具合が発生する。
【０００８】
【課題を解決するための手段】
本発明は、上記課題を解決するものであって、感光体の回転ムラを低減して、回転ムラによる露光ズレ、転写ズレをなくし、画像ムラ、画像不良をなくすと共に、現像色切り換え動作時間の短縮を図るものである。
【０００９】
そのために本発明は、潜像が形成される像担持体と、該像担持体に前記潜像を形成する潜像形成手段と、現像ローラを有し現像剤を搬送して前記潜像を現像する複数の現像器と、前記複数の現像器を外周に沿って支持して前記像担持体に対向する現像位置に回転移動するロータリー現像装置とを備え、前記ロータリー現像装置の現像色切り換え動作により前記複数の現像器が順次前記現像位置に回転移動して前記像担持体上に形成された潜像を現像し転写位置で媒体に転写して画像を形成するように構成した画像形成装置において、前記現像位置の前記現像器は、前記ロータリー現像装置の回転中心と前記像担持体の回転中心とを結ぶ直線上より前記ロータリー現像装置の回転方向の下流側で前記像担持体に押し当てられることを特徴とする。
【００１０】
前記ロータリー現像装置は、前記潜像の後端を現像し媒体に転写する前に前記ロータリー現像装置の現像色切り換え動作を開始し、前記潜像形成手段は、前記ロータリー現像装置の現像色切り換え動作により次の現像器が前記現像位置に回転移動した後に前記潜像の形成を開始し、前記現像器は、揺動可能に支持されて前記像担持体の回転中心より前記像担持体の回転方向の下流側に向けて付勢される揺動支点を有することを特徴とする。
【００１１】
【発明の実施の形態】
以下、本発明の実施の形態を図面を参照しつつ説明する。図１は本発明に係る画像形成装置の実施の形態を示す図である。図中、１はロータリー現像装置、２は現像器、３は感光体、４は中間転写媒体、５は露光装置、６はプロセスユニット、７は１次転写装置、８は２次転写装置、９は給紙トレイ、１０は給紙ローラ、１１はレジローラ、１２は紙搬送ユニット、１３は定着ユニット、１４は排紙トレイ、１５は扉体を示す。
【００１２】
本実施形態の画像形成装置は、図１に示すようにハウジングの上部に形成された排紙トレイ１４と、ハウジングの前面に開閉自在に挿着された扉体１５を有する。ハウジング内には、複数の現像器２を搭載したロータリー現像装置１、潜像が形成され現像されてトナー像が形成される感光体３、感光体３を露光して潜像を形成する露光装置５、無端状のベルトからなりトナー像が転写される中間転写媒体４、露光装置５による潜像の形成を制御するプロセスユニット６、感光体３上のトナー像を中間転写媒体４に１次転写する１次転写装置７、中間転写媒体４のトナー像を記録媒体（紙等）に２次転写する２次転写装置８、記録媒体を収容する給紙トレイ９、記録媒体上のトナー像を定着する定着ユニット１３、各駆動モータやバイアスを制御する制御ユニットなどが配設されている。また、扉体１５内には給紙トレイ９から記録媒体を２次転写装置８を通して定着ユニット１３に搬送する紙搬送ユニット１２が配設されている。そして、各ユニットは、本体に対して着脱可能な構成であり、メンテナンス時等には一体的に取り外して修理または交換を行うことが可能な構成になっている。
【００１３】
像担持体である感光体３は、薄肉円筒状の導電性基材と、その表面に形成された感光層とを有する。その感光体３の外周には、回転方向に沿って感光体３を一様に帯電するための帯電装置（図示せず）、感光体３上に潜像を形成するための露光装置５、潜像を現像するためのロータリー現像装置１、感光体３上のトナー像が転写される中間転写媒体４、及び中間転写媒体４にトナー像を１次転写する１次転写装置７、１次転写後の感光体３の表面をクリーニングするクリーナ（図示せず）などが配設されている。そして、感光体３上に露光装置５により形成された潜像をロータリー現像装置１により現像してトナー像を形成し、形成されたトナー像を１次転写装置７により中間転写媒体４上に転写して、さらに２次転写装置８により記録媒体（紙等）に転写する。
【００１４】
上記構成の画像形成装置によるフルカラーの画像形成では、露光装置５にプロセスユニット６からの画像形成信号が入力されると、制御ユニットによる駆動モータやバイアスの制御にしたがい、感光体３、ロータリー現像装置１、中間転写媒体４が回転駆動される。そして、感光体３は、外周面が帯電装置によって一様に帯電され、ロータリー現像装置１は、第１色、例えばイエローＹのトナー像を形成するため、現像色切り換え動作により、イエローＹ用の現像器２がロータリー現像装置１の回転中心と感光体３の回転中心とを結ぶ直線上からさらに越えて回転移動し、ロータリー現像装置１の回転移動する方向の下流側で現像ローラ又は現像ローラの両端に配設されたコロ（以下、同じ）が感光体３に当接して停止する。現像器２の現像ローラが回転駆動されると同時に、まず、感光体３の表面に露光装置５によって第１色、イエローＹの画像情報に応じた選択的な露光がなされ、感光体３上にイエローＹの潜像が形成される。そのイエローＹの潜像は、現像器２によって現像されて感光体３上にトナー像が形成される。
【００１５】
ロータリー現像装置１は、現像器２によりイエローＹの潜像の後端が現像され現像が終了すると、直ちに、つまりそのトナー像の後端が１次転写装置７に達する以前に、次の第２色、例えばブラックＫのトナー像を形成するための現像色切り換え動作を開始する。この現像色切り換え動作により、ブラックＫ用の現像器２の現像ローラは、ロータリー現像装置１の回転中心と感光体３の回転中心とを結ぶ直線上からさらに越えて回転移動し、ロータリー現像装置１の回転移動する方向の下流側で感光体３に当接して停止する。
【００１６】
この間、１次転写装置７には、トナーの帯電極性と逆極性の１次転写電圧が印加され、感光体３上に形成されたトナー像は、１次転写装置７で中間転写媒体４上に転写される。２次転写装置８は、中間転写媒体４から離間されている。
【００１７】
第２色の現像色切り換え動作が終了して、ブラックＫ用の現像器２の現像ローラが感光体３に当接して停止すると、感光体３の表面に露光装置５によって第２色、ブラックＫの画像情報に応じた選択的な露光がなされ、感光体３上にブラックＫの潜像が形成される。このような一連の処理が画像形成信号の第２色目、第３色目、第４色目に対応して繰り返して実行されることにより、各画像形成信号の内容に応じたイエローＹ、ブラックＫ、シアンＣ、マゼンタＭからなる４色のトナー像が感光体３から順次中間転写媒体４上において重ね合わされて転写され、フルカラー画像が形成される。
【００１８】
そして、フルカラー画像が２次転写装置８に達するタイミングで、給紙トレイ９の記録媒体（紙等）が搬送通路から給紙ローラ１０、レジローラ１１を通して２次転写装置８に搬送され、２次転写装置８が中間転写媒体４に押圧されるとともに２次転写電圧が印加されて、中間転写媒体４上の４色のフルカラートナー像が２次転写装置８で記録媒体上に転写される。このようにしてフルカラートナー像が転写された記録媒体は紙搬送ユニット１２により定着ユニット１３まで搬送されると、定着ユニット１３により記録媒体上のフルカラートナー像が加熱加圧されて定着され、排紙トレイ１４に排紙される。
【００１９】
図２はロータリー現像装置が現像色切り換え動作により回転移動して位置決めされ現像ローラが感光体に当接している状態を示す図、図３はロータリー現像装置が現像色切り換え動作により回転移動し現像ローラが感光体から離れる位置を示す図、図４は現像ローラがロータリー現像装置の回転中心と感光体の回転中心を結ぶ直線上にある状態を示す図である。図中、２１はロータリー現像装置駆動モータ、２２は駆動モータ歯車、２３はロータリー現像装置回転歯車、２４は現像ローラ、２５は現像器揺動支点、２６はロータリーフレーム、２７は当接バネ、２８、２９は現像器揺動規制部、３１〜３３は回転中心を示す。
【００２０】
ロータリー現像装置１は、図２に示すように外周に沿ってロータリー現像装置回転歯車２３を有し、このロータリー現像装置回転歯車２３に駆動モータ歯車２２が噛合してロータリー現像装置駆動モータ２１により図示反時計周りを回転方向として回転駆動される。そして、ロータリー現像装置１に着脱可能に搭載された現像器２は、ロータリー現像装置１の回転中心３１と感光体３の回転中心３２とを結ぶ直線Ｌ上に対し、ロータリー現像装置１の回転中心３１とと現像ローラ２４の回転中心３３を結ぶ直線が回転角Ｂ°だけ回転方向の下流側で現像ローラ２４が感光体３に押し当てるように位置決めされる。
【００２１】
現像器２は、現像器揺動支点２５を支点として、揺動可能に装着され、その揺動は、現像器２側の現像器揺動規制部２８とロータリーフレーム２６側の現像器揺動規制部２９により規制され、ロータリーフレーム２６に設けられた当接バネ２７により感光体３の方向に付勢され、所定の押圧力で感光体３に当接するようになっている。
【００２２】
そして、ロータリー現像装置駆動モータ２１により現像色切り換え動作を開始して、ロータリー現像装置１が回転移動すると、現像動作が終了した現像器２では、図３に示す回転角Ａ°から現像器２側の現像器揺動規制部２８とロータリーフレーム２６側の現像器揺動規制部２９により揺動が規制されて、現像ローラ２４が感光体３から離れる。そして、次の現像動作を行う現像器２は、ロータリー現像装置１の回転移動と共に現像ローラ２４が感光体３に当接して、図４に示すようにロータリー現像装置１の回転中心３２と感光体３の回転中心３２とを結ぶ直線Ｌ上に達し、さらに回転移動した後、図２に示す回転角Ｂ°だけ回転方向の下流側で現像ローラ２４が感光体３に当接するように位置決めされる。
【００２３】
露光装置５により画像情報に応じた選択的な露光をして感光体３上に潜像を形成しているとき、先に述べた嵌合・装着のため有する構造上のガタにより感光体３に移動が生じたり、回転ムラが生じたりすると、露光ズレなどによる画像ムラ、画像不良が生じる。また、感光体３上に形成されたトナー像を１次転写装置７で中間転写媒体４上に転写しているときにも、同様に、感光体３に移動、回転ムラが生じると、転写ズレなどによる画像ムラ、画像不良が生じる。この感光体３の移動、回転ムラは、感光体３が受ける外力の変動が大きいほど、また、その絶対値が大きいほど生じやすくなる。
【００２４】
感光体２に現像ローラ２４を押し当てる押圧力は、その外力の１つであり、現像ローラ２４が図４に示すロータリー現像装置１の回転中心３１と感光体３の回転中心３２とを結ぶ直線Ｌ上にあるときに最大値となり、感光体３に回転ムラを生じさせやすい。また、ロータリー現像装置１の回転中心３１と感光体３の回転中心３２とを結ぶ直線Ｌ上で現像ローラ２４を感光体３に押し当てるようにした場合であっても、実際には現像器２の揺動に伴ってその直線Ｌ上から左右に僅かな揺れが生じると、現像ローラ２４と感光体３との押し当て部接線方向に対して、押圧力の分力が感光体３の回転方向に作用したり逆回転方向に作用したりすることになり、これもまた、感光体３に回転ムラを生じさせやすい要因である。
【００２５】
本実施形態のように現像動作を行う現像位置で、図２に示すようにロータリー現像装置１の回転中心３１と感光体３の回転中心３２とを結ぶ直線Ｌ上より回転角Ｂ°だけ回転方向の下流側で現像ローラ２４を感光体３に押し当てるようにすると、図４に示すようにロータリー現像装置１の回転中心３１と感光体３の回転中心３２とを結ぶ直線Ｌ上で現像ローラ２４を感光体３に押し当てる場合に比べて押圧力を小さくすることができる。しかも、押圧力の分力が感光体３の回転方向に作用したり逆回転方向に作用したりすることはなく、一定の方向に作用させることができる。これらのことから、現像ローラ２４を感光体３に押し当てることにより感光体３の移動、回転ムラを生じるのを低減することができる。
【００２６】
現像ローラ２４を感光体３に押し当てる位置を、図２に示す回転方向の下流側とは逆に、回転方向の上流側とした場合にも、上記と同様ではあるが、この場合には、ロータリー現像装置１の現像色切り換え動作を開始した直後、現像ローラ２４がロータリー現像装置１の回転中心３１と感光体３の回転中心３２とを結ぶ直線Ｌ上を通過する間に押圧力が最も大きな変動を与える。すなわち、ロータリー現像装置１の現像色切り換え動作を開始した直後から感光体３に現像ローラ２４を押し当てる押圧力が増大して直線Ｌ上で最大となり、それから低減して零になる。しかも、先にも述べたように押圧力が最大となる直線Ｌ上を通過する前後で、押圧力の分力が感光体３の回転方向に対して反転する。つまり、ブレーキ成分から加速成分に切り替わり、最も感光体３に回転ムラが生じやすくなる。
【００２７】
そのため、感光体３上のトナー像を１次転写装置７により中間転写媒体４上に転写しているときに、このようなロータリー現像装置１の現像色切り換え動作を行うと、感光体３の移動、回転ムラによる転写ムラがより悪化することになる。この場合には、現像動作が終了しても、転写終了までこのようなロータリー現像装置１の現像色切り換え動作が行えない。このことは、次の現像色の画像形成のための動作に速やかに移行できないことになる。
【００２８】
本実施形態の図２に示すようにロータリー現像装置１の回転中心３１と感光体３の回転中心３２とを結ぶ直線Ｌ上より回転角Ｂ°だけ回転方向の下流側で現像ローラ２４を感光体３に押し当てて現像を行うことにより、感光体３上に形成された潜像の後端を現像器２が現像すると直ぐ次色現像器２を現像位置に移動させるためのロータリー現像装置１の現像色切り換えを開始することができる。そのことにより、現像色切り換え動作を開始した直後の、回転方向の上流側で現像ローラ２４を感光体３に押し当てて現像を行う場合のような感光体３の移動、回転ムラを生じさせることがなくなり、１次転写での転写ズレをなくすことができる。
【００２９】
近年、画像形成装置は、印字速度の高速化が求められることから、ロータリー現像装置１を採用する画像形成装置では、各色現像器２を交換するロータリー現像装置１の現像色切り換え動作に要する時間の短縮、回転速度の向上が求められると共に、中間転写媒体４上における画像と画像の間隔（紙間）の短縮も求められている。本実施形態では、感光体３上に形成された潜像の後端を現像器２が現像すると、現像後のトナー像がまだ１次転写装置７により中間転写媒体４上に転写中であっても、すぐに次色の現像器２を速やかに現像位置に移動するためのロータリー現像装置２の現像色切り換え動作を開始することができる。
【００３０】
また、本実施形態の図２に示すようにロータリー現像装置１の回転中心３１と感光体３の回転中心３２とを結ぶ直線Ｌ上より回転角Ｂ°だけ回転方向の下流側で現像ローラ２４を感光体３に押し当てて現像を行う場合には、ロータリー現像装置１の現像色切り換え動作の終了間際において、押圧力が最大となる直線Ｌ上を通過するため、このときに感光体３に最も大きな移動、回転ムラが生じることになる。最もこの時点までには、トナー像の後端が１次転写装置７で中間転写媒体４上に転写され１次転写は終了しているので、転写に悪影響を与えることは回避することができる。一方、感光体３上に潜像を形成するための露光装置５による画像情報に応じた選択的な露光の開始は、上記現像色切り換え動作の終了間際において、押圧力が最大となる直線Ｌ上を通過するときに生じる感光体３の移動、回転ムラによる悪影響を受けないため、ロータリー現像装置１の現像色切り換え動作が終了した後に行うことが望ましい。
【００３１】
本実施形態の図２に示すようにロータリー現像装置１の回転中心３１と感光体３の回転中心３２とを結ぶ直線Ｌ上より回転角Ｂ°だけ回転方向の下流側で現像ローラ２４を感光体３に押し当てて現像を行うことは、見方を変えれば感光体３に対して感光体３の回転中心３２方向より回転方向の下流側に向けて現像ローラ２４を押し当てることでもある。このことにより、先に述べた押圧力を低減、緩和し、ロータリー現像装置１の現像色切り換え動作直後の押圧力の変動を低減、緩和することができる。そのためには、現像ローラ２４の回転中心３３と感光体３の回転中心３２とを結ぶ直線に対して、現像ローラ２４の回転中心３３から感光体３の回転中心３２より所定の角度だけ感光体３の回転方向の下流側に向けて現像ローラ２４を感光体３に押し当てるように、現像ローラ２４を感光体３に押し当てる位置に対して現像器揺動支点２５の位置を設定することである。
【００３２】
なお、本発明は、上記実施の形態に限定されるものではなく、種々の変形が可能である。例えば上記実施の形態では、潜像形成手段として感光体を露光して静電潜像を形成する露光装置で説明したが、書込電極を用いたものその他潜像形成手段でも同様であることは勿論のことである。
【００３３】
【発明の効果】
以上の説明から明らかなように、本発明によれば、潜像が形成される像担持体と、該像担持体に潜像を形成する潜像形成手段と、現像ローラを有し現像剤を搬送して潜像を現像する複数の現像器と、複数の現像器を外周に沿って支持して像担持体に対向する現像位置に回転移動するロータリー現像装置とを備え、ロータリー現像装置の現像色切り換え動作により複数の現像器が順次現像位置に回転移動して像担持体上に形成された潜像を現像し転写位置で媒体に転写して画像を形成するように構成した画像形成装置において、現像位置の現像器は、ロータリー現像装置の回転中心と像担持体の回転中心とを結ぶ直線上よりロータリー現像装置の回転方向の下流側で像担持体に押し当てられるので、像担持体に対する現像器の押圧力を軽減、緩和して像担持体の回転ムラを低減することができ、回転ムラによる露光ズレ、転写ズレをなくし、画像ムラ、画像不良をなくすことができる。
【００３４】
ロータリー現像装置は、潜像の後端を現像し媒体に転写する前にロータリー現像装置の現像色切り換え動作を開始することにより、現像されたトナー像の転写が終了するまで待つことなく次の現像色の現像器を現像位置に移動するための現像色切り換え動作時間の短縮を図り、像担持体の回転ムラを低減して、回転ムラによる転写ズレをなくし、画像ムラ、画像不良をなくすことができる。また、潜像形成手段は、ロータリー現像装置の現像色切り換え動作により次の現像器が現像位置に回転移動した後に潜像の形成を開始することにより、ロータリー現像装置の現像色切り換え動作中に像担持体に回転ムラが生じても、その影響を受けないように回避し、回転ムラによる露光ズレをなくし、画像ムラ、画像不良をなくすことができる。さらに、現像器は、揺動可能に支持されて像担持体の回転中心より像担持体の回転方向の下流側に向けて付勢される揺動支点を有するので、像担持体に対する現像器の押圧力を軽減、緩和して像担持体の回転ムラを低減することができ、回転ムラによる露光ズレ、転写ズレをなくし、画像ムラ、画像不良をなくすことができる。
【図面の簡単な説明】
【図１】本発明に係る画像形成装置の実施の形態を示す図である。
【図２】ロータリー現像装置が現像色切り換え動作により回転移動して位置決めされ現像ローラが感光体に当接している状態を示す図である。
【図３】ロータリー現像装置が現像色切り換え動作により回転移動し現像ローラが感光体から離れる位置を示す図である。
【図４】現像ローラがロータリー現像装置の回転中心と感光体の回転中心を結ぶ直線上にある状態を示す図である。
【符号の説明】
１…ロータリー現像装置、２…現像器、３…感光体、４…中間転写媒体、５…露光装置、６…プロセスユニット、７…１次転写装置、８…２次転写装置、９…給紙トレイ、１０…給紙ローラ、１１…レジローラ、１２…紙搬送ユニット、１３…定着ユニット、１４…排紙トレイ、１５…扉体
【図１】
2005031167.tif 000003
【図２】
2005031167.tif 000004
【図３】
2005031167.tif 000005
【図４】
2005031167.tif 000006